(57)【要約】【課題】可変表示装置の表示画面に大きな可動片を出入させることができる可動役物装置を提供する。【解決手段】第１の可動役物装置２６は、ステージ２８の裏面側に配設されたベース部材３８と、ベース部材３８から可変表示装置２７の表示画面２７ａの前方に出入可能な一対の可動体４３，４４と、ベース部材３８に軸支された一対の回転体４６，４７と、回転体４６，４７の回転に伴って揺動する一対の同期アーム４１，４２等を備えており、両可動体４３，４４は結合部５５で開閉可能に連結されている。モータ３９，４０を駆動源として回転体４６，４７が互いに逆向きに回転すると、結合部５５が同期アーム４１，４２からの押圧力を受けて上方へ押し出され、それに伴って可動体４３，４４が両者の開き角度を狭めながら表示画面２７ａの前方に露出する。【選択図】図１３
2014076206.tif 000002
【特許請求の範囲】
【請求項１】
遊技の演出に係る演出画像を表示可能な可変表示装置と、この可変表示装置の表示画面の上下いずれか一方に配設されたベース部材と、このベース部材から前記表示画面の前方に出入可能な一対の可動体と、前記ベース部材に左右方向へ所定間隔を存して回転可能に支持された一対の回転体と、これら回転体を互いに逆向きに回転するモータと、前記両回転体の回転に伴って揺動する一対の同期アームとを備え、
前記両同期アームの一端部に互いに逆向きに揺動するように噛合されたギアがそれぞれ設けられており、これらギアの中心部が前記ベース部材に回転可能に軸支されていると共に、前記両同期アームの他端部がそれぞれ前記両可動体に設けられたカム孔に係合しており、これら両可動体の一端側を結合部で開閉可能に連結することにより、前記両同期アームの揺動に伴って前記結合部が前記表示画面の前方を上下方向へ移動するようにしたことを特徴とする可動役物装置。
【請求項２】
請求項１の記載において、前記結合部に回転可能に軸支された昇降体と、ギアとガイド孔を有する一対の補助アームとを備え、前記両補助アームの前記ギアどうしを噛合させると共に、これらギアの中心部が前記昇降体に回転可能に軸支されており、かつ、前記両可動体に設けた突起が前記両補助アームの前記ガイド孔に挿入されていることを特徴とする可動役物装置。
【請求項３】
請求項１または２の記載において、前記両可動体に光源を実装した回路基板がそれぞれ収納されていると共に、前記電源に電力を供給するワイヤーハーネスが保持アームに保持されており、この保持アームの両端部が前記可動体と前記同期アームに回転可能に軸支されていることを特徴とする可動役物装置。
【発明の詳細な説明】
【技術分野】
【０００１】
本発明は、パチンコ機等の遊技機に備えられる可動役物装置に関するものである。
【背景技術】
【０００２】
パチンコ機に代表される遊技機の中には、遊技盤の遊技領域に可変表示装置や始動入賞口やアタッカ装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当たりとハズレがあり、抽選結果が当たりの場合には、可変表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
この種のパチンコ機において、可動態様を変化させることができる可動体を可変表示装置の周囲の任意位置に配置し、電子抽選の抽選結果に基づく可変表示装置の表示内容と可動体の可動態様とを組み合わせることにより、興趣性の高い演出を行うようにした可動役物装置が広く採用されている。可動体はモータやギア等を有する駆動機構によって種々の動きを行うようになっており、その一例として、可変表示装置の表示画面の左右両側に一対の可動体を配置し、これら可動体を駆動機構によって左右方向へ往復移動して表示画面の前方に出入させるようにした可動役物装置が従来より知られている（例えば、特許文献１参照）。
【０００４】
特許文献１に開示された可動役物装置において、駆動機構は一対のモータを駆動源として左右の作動レバーを逆向きに回転するように構成されており、これらモータと作動レバーは可変表示装置を包囲するベース部材の下部に搭載されている。左側の可動体は３枚の略扇面形のシャッタ片を前後に重ね合わせた構成となっており、各シャッタ片の上端部はベース部材の上部に設けられた複数のレール溝に個別に挿入されている。そして、最も後方に位置するシャッタ片に左側の作動レバーが連結されており、中央に位置する作動レバーは前方と後方に位置するシャッタ片に対して係合可能となっている。同様に、右側の可動体も３枚の略扇面形のシャッタ片を前後に重ね合わせた構成となっており、各シャッタ片の上端部はベース部材に設けられた複数のレール溝に個別に挿入されている。そして、最も後方に位置するシャッタ片に右側の作動レバーが連結されており、中央に位置する作動レバーは前方と後方に位置するシャッタ片に対して係合可能となっている。
【０００５】
このように概略構成された可動役物装置において、通常、一対の可動体は可変表示装置の表示画面から隠れた左右の待機位置で停止しており、左側の３枚のシャッタ片は前後方向に重なり合って折り畳まれ、右側の３枚のシャッタ片も前後方向に重なり合って折り畳まれている。この状態で一方のモータを駆動源として左側の作動レバーが回転すると、この作動レバーに連結された１枚のシャッタ片が表示画面の中央部に向かって移動し、それに連動して残り２枚のシャッタ片も表示画面の中央部に向かって順次移動する。また、他方のモータを駆動源として右側の作動レバーが回転すると、この作動レバーに連結された１枚のシャッタ片が表示画面の中央部に向かって移動し、それに連動して残り２枚のシャッタ片も表示画面の中央部に向かって順次移動する。その結果、左側の可動体の３枚のシャッタ片が表示画面の左側領域を覆うように開かれると共に、右側の可動体の３枚のシャッタ片が表示画面の右側領域を覆うように開かれ、両可動体の計６枚のシャッタ片が表示画面のほぼ全領域を覆うように露出する。
【先行技術文献】
【特許文献】
【０００６】
【特許文献１】特開２０１０−１６２２４３号公報
【発明の概要】
【発明が解決しようとする課題】
【０００７】
前述した従来の可動役物装置では、可変表示装置の表示画面に対して出入可能な可動体が複数枚（３枚）のシャッタ片によって構成されており、待機位置で各シャッタ片を前後方向に重ね合わせてコンパクトに収納すると共に、各シャッタ片を拡げて大きく展開した状態で表示画面の前方に露出するようになっているため、大きな可動体を表示画面の前面に露出させてインパクトのある可動演出を行うことができる。しかしながら、待機位置で複数枚のシャッタ片を前後方向に重ね合わせる構造であるため、個々のシャッタ片の厚みを必然的に薄く設定しなければならず、例えば可動体に照光機能を付加しようとしても、シャッタ片内に照光用の回路基板を収納するスペースを確保するのが困難となる。また、複数枚のシャッタ片を平行移動して折り畳んだり展開する構造であるため、可動体の意匠が扇子を模ったような形状に限定されてしまい、デザイン上の自由度が低いという問題もあった。
【０００８】
本発明は、このような従来技術の実情に鑑みてなされたもので、その目的は、可変表示装置の表示画面に大きな可動片を出入させることができる可動役物装置を提供することにある。
【課題を解決するための手段】
【０００９】
上記の目的を達成するために、本発明の可動役物装置は、遊技の演出に係る演出画像を表示可能な可変表示装置と、この可変表示装置の表示画面の上下いずれか一方に配設されたベース部材と、このベース部材から前記表示画面の前方に出入可能な一対の可動体と、前記ベース部材に左右方向へ所定間隔を存して回転可能に支持された一対の回転体と、これら回転体を互いに逆向きに回転するモータと、前記両回転体の回転に伴って揺動する一対の同期アームとを備え、前記両同期アームの一端部に互いに逆向きに揺動するように噛合されたギアがそれぞれ設けられており、これらギアの中心部が前記ベース部材に回転可能に軸支されていると共に、前記両同期アームの他端部がそれぞれ前記両可動体に設けられたカム孔に係合しており、これら両可動体の一端側を結合部で開閉可能に連結することにより、前記両同期アームの揺動に伴って前記結合部が前記表示画面の前方を上下方向へ移動するように構成した。
【００１０】
このように構成された可動役物装置において、一対の可動体は両者の開き角度を拡げた状態でベース部材側に隠れており、この状態でモータを駆動源として一対の回転体が互いに逆向きに回転すると、両回転体の回転に伴って一対の同期アームがそれぞれのギアを中心に逆向きに揺動するため、両同期アームからの押圧力を受けて両可動体の結合部が上下方向へ押し出され、それに伴って両可動体が両者の開き角度を狭めながら表示画面の前方に露出する。したがって、比較的全長が長くて大きな可動体を用いたとしても、これら両可動体を両者の開き角度を拡げた状態でベース部材側に収納したり、両可動体を対向させた状態で表示画面の前方に露出させることができるため、大きな可動体が遊技者の視線において表示画面を前方側から被覆するように出入するというインパクトの高い可動態様を実現することができる。
【００１１】
上記の構成において、両可動体の結合部に回転可能に軸支された昇降体と、ギアとガイド孔を有する一対の補助アームとを備え、両補助アームのギアどうしを噛合させると共に、これらギアの中心部が昇降体に回転可能に軸支されており、かつ、両可動体に設けた突起が両補助アームのガイド孔に挿入されていると、両可動体を隠したまま昇降体だけを遊技者の視線において表示画面を前方側から被覆するように出入させたり、両可動体と昇降体を遊技者の視線において表示画面を前方側から被覆するように一緒に出入させることができるため、可動演出のバリエーションが豊富になって好ましい。
【００１２】
また、上記の構成において、両可動体に光源を実装した回路基板がそれぞれ収納されていると共に、電源に電力を供給するワイヤーハーネスが保持アームに保持されており、この保持アームの両端部が可動体と同期アームに回転可能に軸支されていると、保持アームによって可動体のがたつきを抑制できるだけでなく、ワイヤーハーネスの引き回しルートを確保することができて好ましい。
【発明の効果】
【００１３】
本発明の可動役物装置は、結合部で連結された一対の可動体を両者の開き角度を拡げた状態でベース部材側に隠しておいたり、これら両可動体を対向させた状態で表示画面の前方に露出させることができるため、大きな可動体が遊技者の視線において表示画面を前方側から被覆するように出入するというインパクトの高い可動態様を実現することができる。
【図面の簡単な説明】
【００１４】
【図１】パチンコ機の外観を示す斜視図である。
【図２】図１に示すパチンコ機の前面扉を開放した状態の斜視図である。
【図３】図１に示すパチンコ機の背面図である。
【図４】図１に示すパチンコ機に備えられる遊技盤の正面図である。
【図５】第１の可動役物装置が動作状態にあるときの遊技盤の正面図である。
【図６】第１の可動役物装置と第２の可動役物装置が動作状態にあるときの遊技盤の正面図である。
【図７】第１の可動役物装置の非動作状態を示す正面図である。
【図８】図７に対応する第１の可動役物装置の裏面図である。
【図９】第１の可動役物装置の要部を示す説明図である。
【図１０】第１の可動役物装置の動作途中状態を示す正面図である。
【図１１】図１０に対応する第１の可動役物装置の裏面図である。
【図１２】第１の可動役物装置の動作状態を示す正面図である。
【図１３】図１２に対応する第１の可動役物装置の裏面図ある。
【図１４】第２の可動役物装置の非動作状態を示す正面図である。
【図１５】図１４に対応する第２の可動役物装置の裏面図である。
【図１６】第２の可動役物装置の動作状態を示す正面図である。
【図１７】図１６に対応する第２の可動役物装置の裏面図である。
【発明を実施するための形態】
【００１５】
発明の実施の形態について図面を参照して説明すると、図１と図２に示すように、本発明の実施形態例に係る可動役物装置が適用された遊技機（パチンコ機）は、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１６】
機枠１の左下隅部には大型のスピーカ５が配設されており、このスピーカ５は前面扉３の切り欠き内に位置して前方に露出している。本体枠２の上部内側には後述する遊技盤６が収納されており、この遊技盤６の盤面（前面）は透明板４を透して外部から目視可能となっている。また、本体枠２の右側枠部にはシリンダ錠７ａを有する施錠装置７が設置されており、図示省略されているが、この施錠装置７は本体枠２の裏面に配置された後部施錠杆と本体枠２の前面に配置された前部施錠杆とを備えている。常態では、施錠装置７の後部施錠杆によって機枠１に対して本体枠２が施錠されると共に、前部施錠杆によって本体枠２に対して前面扉３が施錠されている。そして、シリンダ錠７ａの鍵穴に図示せぬ鍵を差し込み、この鍵を一方向（例えば時計回り）へ回動すると、後部施錠杆が下動して本体枠２が開錠されるようになっている。また、シリンダ錠７ａの鍵穴に差し込んだ鍵を他方向（反時計回り）へ回動すると、前部施錠杆が上動して前面扉３が開錠されるようになっている。
【００１７】
前面扉３には遊技盤６の盤面に対向する大きな開口３ａが開設されており、この開口３ａは透明板４によって塞がれている。前面扉３の前面上部には比較的小型のスピーカ８が左右に１個ずつ配設されており、これらスピーカ８と前述した大型のスピーカ５とによって遊技に関する様々な効果音を発するようになっている。さらに、前面扉３の前面下部には、遊技盤６の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１等が設けられており、上段受皿９の右側方には操作ハンドル１２が配設されている。
【００１８】
機枠１の左側枠部には上側軸受け体１３と下側軸受け体１４が固着されており、これら両軸受け体１３，１４に本体枠２の左側枠部の上下両端に設けた第１ピン（図示省略）を軸支することによって、本体枠２を機枠１に対して開閉自在に支持する第１ヒンジ機構が構成されている。一方、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。また、本体枠２の上部内側は遊技盤６の収納スペースとなっており、この収納スペースの下方は前面扉３によって覆い隠される設置部２ｂとなっている。設置部２ｂ内の下部中央には遊技球を遊技領域９に向けて発射する発射装置１５が配設されており、前述した操作ハンドル１２の回動操作量に応じて発射装置１５の発射強度が調整されるようになっている。
【００１９】
図３に示すように、遊技盤６の裏面側には、遊技に関する主要な処理を行う主制御処理部１６と、主制御処理部１６からの指令を受けて前述したスピーカ５，８や後述する可変表示装置や可動役物装置等の各種装置を制御する副制御処理部１７と、前述した賞球払出装置１８と、主制御処理部１６からの指令を受けて賞球払出装置１８を制御する払出制御処理部１９と、操作ハンドル１２の回動操作量に応じて前記発射装置１５の作動を制御する発射制御処理部２０と、賞球数や大当たり回数等の各種情報を遊技場のホールコンピュータに出力する外部端子基板２１等が設けられている。主制御処理部１６は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２０】
図４に示すように、遊技盤６の前面はガイドレール２２等によって略円形状に区画された遊技領域２３となっており、遊技者が操作ハンドル１２を任意角度まで回動操作すると、前記発射装置１５が上段受皿９に保留された遊技球を遊技領域２３に向けて連続的に打ち出すようになっている。遊技領域２３の上部中央付近にはセンター役物２４が配置されており、このセンター役物２４は、中央部に矩形状の開口部２５ａを有する装飾枠２５と、装飾枠２５の下壁部に配設された後述する第１の可動役物装置２６（図５〜図１３参照）と、装飾枠２５の左右両壁部に配設された後述する第２の可動役物装置３７（図１４〜図１７参照）と、装飾枠２５の裏面側に配置された可変表示装置２７等を具備している。可変表示装置２７は液晶パネル（ＬＣＤ）からなり、その表示画面２７ａは装飾枠２５の開口部２５ａから露出している。
【００２１】
装飾枠２５の下壁部には左右方向へ略Ｖ字形状に延びるステージ２８が設けられており、このステージ２８の中央部には誘導口２８ａが形成されている。また、装飾枠２５の左側壁には中空構造のワープ通路２９が形成されており、このワープ通路２９の両端は遊技領域２３とステージ２８に向けてそれぞれ開口している。したがって、センター役物２４の左側の遊技領域２３を流下する遊技球がワープ通路２９に入球すると、その遊技球はワープ通路２９の内部を通ってステージ２８に排出された後、ステージ２８上を転動して誘導口２８ａへと導かれる。
【００２２】
ステージ２８の誘導口２８ａの真下位置には上面を開口した振分装置３０が配設されており、ステージ２８上を転動して誘導口２８ａから落下した遊技球が高い確率で振分装置３０の入口に流入するようになっている。振分装置３０は下方側に２つの出口を有しており、各出口の真下にそれぞれ第１始動入賞口３１と第２始動入賞口３２が配設されている。図示省略されているが、振分装置３０の内部には二股球通路とシーソ状の振分機構が収納されており、この振分機構によって振分装置３０の入口から流入した遊技球は二股球通路を介して第１始動入賞口３１と第２始動入賞口３２とに交互に導かれるようになっている。第１および第２始動入賞口３１，３２は外観上同じように構成されているが、第１始動入賞口３１は上端に入口を有する単純構造の始動入賞口であるのに対し、第２始動入賞口３１は上部に一対の可動片を有する電動チューリップ構造の始動入賞口となっている。そして、これら第１および第２始動入賞口３１，３２のいずれか一方に遊技球が入賞すると、それを契機として特別図柄に係る電子抽選が行われ、その抽選結果に基づいて可変表示装置２７の表示画面２７ａ上で演出用図柄の変動表示および停止表示が行われる。また、装飾枠２５の右下隅部にスルーチャッカ３３が配設されており、センター役物２４の右側の遊技領域２３に打ち出された遊技球がこのスルーチャッカ３３を通過すると、それを契機として普通図柄に係る電子抽選が行われ、その抽選結果が当たりの場合に第２始動入賞口３２の両可動片を一時的に開放して遊技球の入賞を許可するようになっている。
【００２３】
さらに、ステージ２８の右斜め下方位置にはアタッカ装置３４が配設されており、このアタッカ装置３４は内部の大入賞口を開閉可能な横長形状の開閉扉を有している。アタッカ装置３４は、第１および第２始動入賞口３１，３２のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が当たりの場合、アタッカ装置３４の開閉扉が複数回繰り返して開放動作することにより、大入賞口を露呈させて遊技球の入賞を許可するようになっている。開閉扉は１回の開放動作（１ラウンド）について例えば３０秒経過するまで、あるいは遊技球が大入賞口に例えば１０個入るまで開放状態を維持し、かかる開放動作を例えば１５回繰り返した後に大当たり遊技が終了する。
【００２４】
その他、遊技領域２３には、入賞に対する賞品として遊技球の払い出しのみを行う複数の一般入賞口３５や、遊技球の流下経路を担う風車と複数本の遊技釘（図示せず）等が配設されており、いずれの始動入賞口３１，３２や一般入賞口３５およびアタッカ装置３４にも入賞しなかった遊技球は、遊技領域２３の最下端部に設けられたアウト口３６から遊技盤６の裏面側に排出されるようになっている。
【００２５】
第１の可動役物装置２６と第２の可動役物装置３７は、いずれも前述した特別図柄に係る電子抽選の結果を可動体の可動態様や光源の照光態様によって遊技者に示唆することができる装置であり、これら第１および第２の可動役物装置２６，３７による演出は主制御処理部１６が動作を決定し、決定した動作に基づいて副制御処理部１７に制御信号を送ることにより実行される。副制御処理部１７は、主制御処理部１６から送られた制御信号に基づいて、可動体の駆動源であるモータと光源であるＬＥＤにそれぞれ駆動信号を送る。これによりモータを回転させて可動体が所定の動作を行ったり、ＬＥＤを発光させて可動体が照光するようになっている。以下、第１および第２の可動役物装置２６，３７の構造と動作について説明する。
【００２６】
まず、第１の可動役物装置２６について図７〜図１３を参照しながら詳細に説明すると、第１の可動役物装置２６は、一対の逃げ孔３８ａ，３８ｂを有する横長矩形状のベース部材３８と、ベース部材３８の前面下辺側に取り付けられた一対のモータ３９，４０と、ベース部材３８の前面中央部に回転可能に軸支された左右一対の同期アーム４１，４２と、各同期アーム４１，４２の先端部に連結された左右一対の可動体４３，４４と、各可動体４３，４４の上端部に連結された昇降体４５と、ベース部材３８の裏面側に左右方向へ所定間隔を存して回転可能に軸支された左右一対の回転体４６，４７と、各回転体４６，４７の近傍に軸支された一対の中継ギア４８，４９等により主として構成されている。
【００２７】
ベース部材３８は可変表示装置２７を包囲する遊技盤６の下部にネジ止め等の固定手段を用いて取り付けられており、このベース部材３８はステージ２８の裏面側に位置して外部から見えないようになっている。一対のモータ３９，４０の出力軸はベース部材３８の裏面側に突出しており、これら出力軸にはそれぞれ歯車５０，５１が固着されている。
【００２８】
一対の同期アーム４１，４２の一端側には扇形ギア４１ａ，４２ａが形成されており、これら扇形ギア４１ａ，４２ａの中心がベース部材３８に軸支されている。両同期アーム４１，４２の扇形ギア４１ａ，４２ａは噛合しており、ベース部材３８には両扇形ギア４１ａ，４２ａの噛合箇所を覆うように保持体５２が取り付けられている。図７に示すように、これら扇形ギア４１ａ，４２ａの軸回りには同期アーム４１，４２の交差角度を狭める方向へ付勢するトーションばね５３，５４が巻回されており、一方のトーションばね５３は左側の同期アーム４１と保持体５２との間に掛止めされ、他方のトーションばね５４は右側の同期アーム４２と保持体５２との間に掛止めされている。また、両同期アーム４１，４２の他端側にはガイドピン４１ｂ，４２ｂが設けられ、両同期アーム４１，４２の中央付近には長孔４１ｃ，４２ｃが設けられている。
【００２９】
一対の可動体４３，４４は頂部にアールを付けた山形状（お椀形状）をしており、両可動体４３，４４の一端側は結合部５５で開閉可能に連結されている。両可動体４３，４４の表面にはハートを半割りにした意匠が施されており、後述するように、両可動体４３，４４が可変表示装置２７の表示画面２７ａの前方に露出したとき、両可動体４３，４４の半割り形状の意匠が合体してハートを模るようになっている（図１２参照）。両可動体４３，４４の裏面側にはカム孔４３ａ，４４ａが設けられており、各カム孔４３ａ，４４ａに同期アーム４１，４２のガイドピン４１ｂ，４２ｂがそれぞれ摺動自在に挿入されている。ここで、カム孔４３ａ，４４ａは結合部５５を中心とする仮想円に沿って円弧状に延びており、図９に示すように、かかるカム孔４３ａ，４４ａの延出方向をＱ１（一点鎖線参照）、扇形ギア４１ａ，４２ａを中心とするガイドピン４１ｂ，４２ｂの回動軌跡をＱ２（二点鎖線参照）とすると、Ｑ１とＱ２は交差するように設定されている。これにより、一対の同期アーム４１，４２が扇形ギア４１ａ，４２ａを中心として互いに逆向きに回転（揺動）すると、曲線Ｑ２上を回動するガイドピン４１ｂ，４２ｂがカム孔４３ａ，４４ａの内周面を押圧するため、この押圧力を受けて結合部５５が上下方向（図９のＹ１−Ｙ２方向）へ移動し、それに伴って一対の可動体４３，４４が結合部５５を中心に回転して両者の開閉角度が変化する。
【００３０】
可動体４３，４４と同期アーム４１，４２はＬ字状の保持アーム５６，５７を介して連結されており、これら保持アーム５６，５７の両端部を可動体４３，４４の外縁部と同期アーム４１，４２の中央部に回転可能に軸支することにより、可動体４３，４４のがたつきが抑制されている。図示省略されているが、両可動体４３，４４と昇降体４５の内部にはＬＥＤ（光源）を実装した回路基板が収納されていると共に、ＬＥＤに電力を供給するためのワイヤーハーネスが裏面側に導出されており、これらワイヤーハーネスが中空構造の保持アーム５６，５７の内部を通って保持体５２の近傍まで引き回されるようになっている。すなわち、これら保持アーム５６，５７は、両可動体４３，４４のがたつきを抑制するという機能の他に、ワイヤーハーネスの引き回しルートを確保するという機能を併せ持っている。
【００３１】
昇降体４５は蝶を模った意匠部品であり、その表面にロゴマーク等の意匠が施されている。昇降体４５は両可動体４３，４４の結合部５５に回転可能に軸支されると共に、昇降体４５と可動体４３，４４とは一対の補助アーム５８，５９を介して連結されている。これら補助アーム５８，５９の一端側にはギア５８ａ，５９ａが形成されており、各ギア５８ａ，５９ａの中心部分を昇降体４５の裏面側に軸支すると共に、両ギア５８ａ，５９ａを結合部５５の上方で噛合させている。また、両補助アーム５８，５９の他端側にはガイド孔５８ｂ，５９ｂが形成されており、これらガイド孔５８ｂ，５９ｂに可動体４３，４４の外縁部に設けた突起４３ｂ，４４ｂが摺動自在に挿入されている。したがって、結合部５５の上下動に伴って両可動体４３，４４の開閉動作が変化すると、突起４３ｂ，４４ｂにガイド孔５８ｂ，５９ｂを係合させた両補助アーム５８，５９が互いに逆向きに揺動し、昇降体４５は結合部５５と一緒に上下方向へ移動する。
【００３２】
一対の回転体４６，４７は外周面に複数の歯部を有するギアであり、これら回転体４６，４７には径方向外側へ突出する駆動アーム４６ａ，４７ａが設けられている。両駆動アーム４６ａ，４７ａは先端側に突起４６ｂ，４７ｂを有しており、これら突起４６ｂ，４７ｂはベース部材３８の逃げ孔３８ａ，３８ｂを挿通して同期アーム４１，４２の長孔４１ｃ，４２ｃに係合している。なお、両逃げ孔３８ａ，３８ｂは回転体４６，４７の回転軸を中心とする仮想円に沿って円弧状に延びているため、回転体４６，４７の回転に伴って突起４６ｂ，４７ｂは逃げ孔３８ａ，３８ｂ内をスムーズに移動することができる。
【００３３】
一対の中継ギア４８，４９には径方向外側へ突出する検知アーム４８ａ，４９ａが設けられており、ベース部材３８の裏面側には検知アーム４８ａ，４９ａの有無を検出する一対のフォトセンサ６０，６１が配設されている。一方の中継ギア４８は回転体４６と歯車５０との間に介設されており、一方のモータ３９の回転がこの中継ギア４８を介して回転体４６に伝達されるようになっている。他方の中継ギア４９は回転体４７と歯車５１との間に介設されており、他方のモータ４０の回転がこの中継ギア４９を介して回転体４７に伝達されるようになっている。
【００３４】
このように構成された第１の可動役物装置２６は、通常、駆動源である両モータ３９，４０に通電されていない非動作状態で停止しており、図４に示すように、一対の可動体４３，４４と昇降体４５はいずれもベース部材３８の前面側に収納されて外部から見えないようになっている。
【００３５】
図７と図８はかかる第１の可動役物装置２６の非動作状態を示し、この非動作状態で左右一対の可動体４３，４４は結合部５５を中心に最大角度（約１３５度）で開いており、この場合、結合部５５は図９の矢印Ｙ２方向の最下端位置にあり、両補助アーム５８，５９は略水平な姿勢で両可動体４３，４４と昇降体４５を連結している。また、両回転体４６，４７の突起４６ｂ，４７ｂはそれぞれ逃げ孔３８ａ，３８ｂの下端部を挿通して長孔４１ｃ，４２ｃに係合しており、同期アーム４１，４２は両者の開き角度を最大にした状態で停止している。さらに、両中継ギア４８，４９の検知アーム４８ａ，４９ａはフォトセンサ６０，６１と重なる位置で停止しており、これらフォトセンサ６０，６１の出力信号に基づいて中継ギア４８，４９の原点位置を検出できるようになっている。
【００３６】
この状態でモータ３９，４０が正逆いずれかの方向に回転すると、その回転が歯車５０，５１と中継ギア４８，４９を介して回転体４６，４７に伝達されるため、図１０と図１１に示すように、逃げ孔３８ａ，３８ｂ内を上端部に向かって回動する突起４６ｂ，４７ｂが長孔４１ｃ，４２ｃの内周縁を押圧し、それに伴って両同期アーム４１，４２が扇形ギア４１ａ，４２ａを中心に回転（揺動）して両者の開き角度を次第に狭めていく。そして、このように両同期アーム４１，４２が両者の開き角度を狭める方向に揺動すると、同期アーム４１，４２のガイドピン４１ｂ，４２ｂが図９の曲線Ｑ２上を回動してカム孔４３ａ，４４ａの内周面を押圧するため、この押圧力を受けて結合部５５が上方（図９の矢印Ｙ１方向）へ移動し、それに伴って一対の可動体４３，４４が結合部５５を中心に回転して両者の開き角度を狭めていく。
【００３７】
また、両可動体４３，４４の回転に伴って昇降体４５は結合部５５と一緒に上方へ移動するが、突起４３ｂ，４４ｂがガイド孔５８ｂ，５９ｂ内を移動することにより、両補助アーム５８，５９がギア５８ａ，５９ａを中心に逆向きに回転（揺動）するため、両可動体４３，４４の開閉角度に拘わらず昇降体４５の姿勢は維持される。その結果、図５に示すように、昇降体４５がステージ２８の後方中央部から表示画面２７ａ前方の画像表示面に沿う表示フレーム内に迫り出し、それに連れて両可動体４３，４４の上部もステージ２８の後方から表示画面２７ａの画像表示面に沿った表示フレーム内に迫り出すため、昇降体４５の全部と両可動体４３，４４の一部がベース部材３８から表示画面２７ａの画像表示面に沿って突出して表示画面２７ａの下部領域に露出する。
【００３８】
この状態からモータ３９，４０がさらに同一方向へ回転すると、図１２と図１３に示すように、回転体４６，４７の突起４６ｂ，４７ｂが逃げ孔３８ａ，３８ｂの上端部まで回動するため、これら突起４６ｂ，４７ｂからの押圧力を受けて両同期アーム４１，４２が対向する位置まで揺動する。これにより結合部５５が同期アーム４１，４２のガイドピン４１ｂ，４２ｂからの押圧力を受けて図９の矢印Ｙ１方向の最上端位置まで移動し、それに伴って両可動体４３，４４が開き角度を最小（ゼロ）とする位置まで回転すると共に、昇降体４５も結合部５５と一緒に最上端位置まで移動する。その結果、図６に示すように、昇降体４５が表示画面２７ａの上部付近まで露出すると共に、左右の可動体４３，４４が表示画面２７ａの上部から下部領域に亘って露出し、両可動体４３，４４の意匠が合体することで表示画面２７ａの前面にハート形状が現れる。
【００３９】
なお、このように同期アーム４１，４２が回転体４６，４７の突起４６ｂ，４７ｂからの押圧力を受けて開き角度を狭める方向へ揺動するとき、同期アーム４１，４２の同方向への揺動動作がトーションばね５３，５４の付勢力によってアシストされるため、総重量が大きな両可動体４３，４４と昇降体４５を同期アーム４１，４２の揺動に伴って確実に表示画面２７ａの前面に露出させることができる。
【００４０】
また、両可動体４３，４４と昇降体４５が図１２と図１３に示す上昇位置まで移動した後にモータ３９，４０を上記と逆方向に回転すると、回転体４６，４７の突起４６ｂ，４７ｂが逃げ孔３８ａ，３８ｂの上端部から下端部に向かって回動し、これら突起４６ｂ，４７ｂからの押圧力を受けて両同期アーム４１，４２が両者の開き角度を拡げる方向へ揺動する。これにより結合部５５が同期アーム４１，４２のガイドピン４１ｂ，４２ｂからの押圧力を受けて下方へ移動し、それに伴って両可動体４３，４４が結合部５５を中心に両者の開き角度を拡げる方向へ回転すると共に、昇降体４５が結合部５５と一緒に下方へ移動する。そして、結合部５５が図９の矢印Ｙ２方向の最下端位置まで移動すると、図７と図８に示すように、ベース部材３８の前面側で両可動体４３，４４が開き角度を最大に拡げた状態で停止し、両可動体４３，４４と昇降体４５は再びステージ２８の裏面側に隠れた状態となる。
【００４１】
したがって、大当たりの期待度や大当たりの種別（通常当たりや確変当たり）等に応じてモータ３９，４０を制御することにより、昇降体４５だけを表示画面２７ａの前方下部領域近傍に出入させたり、昇降体４５と両可動体４３，４４を表示画面２７ａの前方近傍から表示画面２７ａの上部領域に亘って出入させることが可能となる。例えば、表示画面２７ａ上で行われる演出用図柄の変動開始時などに、両同期アーム４１，４２を図７と図１０に示す角度範囲内で小刻みに揺動させると、昇降体４５がステージ２８の裏面側から表示画面２７ａの下部領域に繰り返し出入するという可動演出を行わせることができる。また、大当たりの期待度が高いスーパーリーチ時などに、両同期アーム４１，４２を図７から図１２に示す角度まで一気に揺動させると、左右の可動体４３，４４が昇降体４５と一緒にステージ２８の裏面側から表示画面２７ａに現れた後、両可動体４３，４４が表示画面２７ａの前方で合体するというインパクトの高い可動演出を行わせることができる。
【００４２】
次に、第２の可動役物装置３７について図１４〜図１７を参照しながら詳細に説明すると、第２の可動役物装置３７は、可変表示装置２７の表示画面２７ａの左右両側部と上部を囲むように配設されたベース部材６２と、ベース部材６２の左側壁６２ａの下部に取り付けられたモータ６３と、ベース部材６２の左側壁６２ａに回転可能に軸支された中継ギア６４およびリンクレバー６５と、ベース部材６２の右側壁６２ｂに回転可能に軸支された補助アーム６６と、ベース部材６２の上壁６２ｃに回転可能に軸支された第１の可動体６７および第２の可動体６８等により主として構成されている。
【００４３】
モータ６３の出力軸には歯車６９が固着されており、この歯車６９は中継ギア６４に噛合している。中継ギア６４は径方向外側へ突出する駆動アーム６４ａを有しており、この駆動アーム６４ａの先端側に突起６４ｂが設けられている。リンクレバー６５はくの字状に屈曲しており、その屈曲部分が回動支点６５ａとしてベース部材６２の左側壁６２ａに軸支されている。リンクレバー６５の上下両端側にはそれぞれガイド孔６５ｂ，６５ｃが設けられており、第１の可動体６７の裏面に設けられたガイドピン６７ａが上端側のガイド孔６５ｂに摺動可能に挿入され、中継ギア６４の突起６４ｂが下端側のガイド孔６５ｃに摺動可能に挿入されている。
【００４４】
補助アーム６６は直線状に形成されており、その下端側が回動支点６６ａとしてベース部材６２の右側壁６２ｂに軸支されている。補助アーム６６の回動支点６６ａにはトーションばね７４が巻回されており、このトーションばね７４によって補助アーム６６は図１４の時計回り方向へ付勢されている。また、補助アーム６６の上端側にはガイド孔６６ｂが設けられており、第２の可動体６８の裏面に設けられたガイドピン６８ａがガイド孔６６ｂに摺動可能に挿入されている。
【００４５】
第１の可動体６７は図１４中の正面視でＣ字状に形成された意匠部品であり、第２の可動体６８は図１４中の正面視で逆Ｃ字状に形成された意匠部品である。これら第１および第２の可動体６７，６８は表示画面２７ａの中心を通る垂線を対称軸とする線対称な形状となっており、各可動体６７，６８の上端部にはそれぞれ第１および第２の同期アーム７０，７１がネジ止め等の固定手段を用いて一体化されている。第１の同期アーム７０の先端側には扇形ギア７０ａが形成されており、第１の同期アーム７０は扇形ギア７０ａの中心を回動支点７０ｂとしてベース部材６２の上壁６２ｃに軸支されている。同様に、第２の同期アーム７１の先端側には扇形ギア７１ａが形成されており、第２の同期アーム７１は扇形ギア７１ａの中心を回動支点７１ｂとしてベース部材６２の上壁６２ｃに軸支されている。ただし、第１および第２の同期アーム７０，７１は交差した状態で重ね合わされており、それぞれの扇形ギア７０ａ，７１ａどうしを噛合させている。これにより、第１の可動体６７は第１の同期アーム７０の回動支点７０ｂを中心に回転すると共に、第２の可動体６８は第２の同期アーム７１の回動支点７１ｂを中心に回転し、第１および第２の可動体６７，６８の回転方向は逆向きになる。
【００４６】
なお、ベース部材６２の左側壁６２ａには逃げ溝７２が形成されており、この逃げ溝７２内を第１の可動体６７のガイドピン６７ａが移動するようになっている。同様に、ベース部材６２の右側壁６２ｂには逃げ溝７３が形成されており、この逃げ溝７３内を第２の可動体６８のガイドピン６８ａが移動するようになっている。また、ベース部材６２の複数箇所にはリブ状突起６２ｄが形成されており、これらリブ状突起６２ｄによってベース部材６２の表面を摺動する第１および第２の可動体６７，６８や中継ギア６４、リンクレバー６５、第１の同期アーム７０等の摺動抵抗が低減されている。
【００４７】
このように構成された第２の可動役物装置３７は、通常、駆動源であるモータ６３に通電されていない非動作状態で停止しており、図４に示すように、第１の可動体６７と第２の可動体６８は表示画面２７ａの左右両側に位置する装飾枠２５の裏面側に収納されて外部から見えないようになっている。
【００４８】
図１４と図１５はかかる第２の可動役物装置３７の非動作状態を示し、この非動作状態で第１の同期アーム７０と第２の同期アーム７１は最大角度（約１３０度）で交差しており、第１の可動体６７と第２の可動体６８は最も離反した位置で停止している。この場合、第１の可動体６７のガイドピン６７ａは逃げ溝７２の最奥位置でリンクレバー６５のガイド孔６５ｂと係合しており、第２の可動体６８のガイドピン６８ａは逃げ溝７３の最奥位置で補助アーム６６のガイド孔６６ｂと係合している。
【００４９】
この状態でモータ６３が例えば図１４中の時計方向に回転すると、その回転が歯車６９を介して中継ギア６４に伝達され、中継ギア６４が図１４の反時計回り（図１５の時計回り）に回転する。これにより中継ギア６４の突起６４ｂがリンクレバー６５のガイド孔６５ｃの内周縁を押圧し、その押圧力を受けてリンクレバー６５が回動支点６５ａを中心に図１４の時計回りに回転するため、ガイド孔６５ｂとガイドピン６７ａの係合部分を介してリンクレバー６５から第１の可動体６７に回転方向の押圧力が作用する。したがって、この押圧力を受けて第１の可動体６７が第１の同期アーム７０の回動支点７０ｂを中心に図１４の反時計回りに回転すると共に、扇形ギア７０ａ，７１ａで噛合している第２の可動体６８が第２の同期アーム７１の回動支点７１ｂを中心に図１４の時計回りに回転するため、第１および第２の同期アーム７０，７１の交差角度が次第に狭められていき、それに伴って第１の可動体６７と第２の可動体６８が近接する方向へ移動していく。
【００５０】
そして、図１６と図１７に示すように、第１および第２の同期アーム７０，７１の交差角度が最小（約９０度）となった時点でモータ６３の回転を停止すると、第１の可動体６７のガイドピン６７ａは逃げ溝７２から飛び出す位置まで移動し、第２の可動体６８のガイドピン６８ａも逃げ溝７３から飛び出す位置まで移動する。その結果、第１の可動体６７と第２の可動体６８が最も近接した状態となり、図６に示すように、これら第１および第２の可動体６７，６８が装飾枠２５の裏面側から表示画面２７ａの前方に露出する。この間、第１の可動体６７についてはガイドピン６７ａに係合するリンクレバー６５からの押圧力を受けて回動支点７１ｂを中心に回転し、第２の可動体６８については補助アーム６６のガイド孔６６ｂとガイドピン６８ａの係合箇所を変移させながら回動支点７１ｂを中心に回転するため、第１および第２の可動体６７，６８をがたつきのない状態でスムーズに回動させることができる。
【００５１】
また、第１および第２の可動体６７，６８が表示画面２７ａの前方で停止しているときにモータ６３を上記と逆向きに回転すると、中継ギア６４が図１６の時計回りに回転してリンクレバー６５を同図の反時計回りに回転するため、第１の可動体６７が回動支点７０ｂを中心に同図の時計回りに回転すると共に、第２の可動体６８が回動支点７１ｂを中心に同図の反時計回りに回転する。そして、第１および第２の同期アーム７０，７１の交差角度が最大となるまで回転すると、図１４と図１５に示すように、第１の可動体６７と第２の可動体６８は最も離反した位置で停止し、両可動体４３，４４と昇降体４５は再びステージ２８の裏面側に隠れた状態となる。
【００５２】
なお、第２の可動役物装置３７は、大当たりの期待度や大当たりの種別（通常当たりや確変当たり）等に応じて単独で動作させたり、前述した第１の可動役物装置２６と複合的に動作させることができる。例えば、表示画面２７ａ上で行われる演出用図柄の変動開始時などに、第１および第２の可動体６７，６８を表示画面２７ａの左右位置に露出させることにより、これら両可動体６７，６８をクレーンゲーム機のアームに見立てて表示画面２７ａ上の演出用図柄を吊り上げるといった可動演出を行わせることができる。あるいは、大当たりの期待度が高いスーパーリーチ時などに、第１の可動役物装置２６と第２の可動役物装置３７を連続して動作させ、図６に示すように、一対の可動体４３，４４と昇降体４５を下方から表示画面２７ａに露出させると共に、第１および第２の可動体６７，６８を左右方向から表示画面２７ａに露出させるという非常にインパクトの高い可動演出を行わせることができる。
【００５３】
以上説明したように、本発明の実施形態例に係る第１の可動役物装置２６（可動役物装置）では、結合部５５で開閉可能に連結された一対の可動体４３，４４を両者の開き角度を拡げた状態でベース部材３８側に収納しておき、この状態でモータ３９，４０を駆動源として一対の回転体４６，４７を互いに逆向きに回転すると、これら回転体４６，４７の回転に伴って一対の同期アーム４１，４２が扇形ギア４１ａ，４２ａを中心に逆向きに回転し、結合部５５が両同期アーム４１，４２からの押圧力を受けて上方へ押し出されることにより、両可動体４３，４４が両者の開き角度を狭めながら可変表示装置２７の表示画面２７ａの前方に露出するようになっている。したがって、比較的全長が長くて大きな可動体４３，４４を用いているのにも拘わらず、これら可動体４３，４４を両者の開き角度を拡げた状態でベース部材３８側に収納したり、両可動体４３，４４を対向させた状態で表示画面２７ａの前方に露出させることができ、大きな可動体４３，４４が表示画面２７ａに出入するというインパクトの高い可動態様を実現することができる。
【００５４】
また、本実施形態例に係る第１の可動役物装置２６では、両可動体４３，４４の結合部５５に昇降体４５を回転可能に軸支し、一対の補助アーム５８，５９に形成したギア５８ａ，５９ａの中心部をこの昇降体４５に回転可能に軸支すると共に、これらギア５８ａ，５９ａどうしを噛合させ、かつ、両可動体４３，４４に設けた突起４３ｂ，４４ｂを補助アーム５８，５９のガイド孔５８ｂ，５９ｂに挿入しているため、両可動体４３，４４をベース部材３８側に隠したまま昇降体４５だけを表示画面２７ａに出入させたり、両可動体４３，４４と昇降体４５を一緒に表示画面２７ａに出入させることが可能となり、バリエーションに富んだ可動演出を行うことができる。
【００５５】
また、本実施形態例に係る第１の可動役物装置２６では、一対の保持アーム５６，５７の両端部を可動体４３，４４の外縁部と同期アーム４１，４２の中央部に回転可能に軸支しているため、同期アーム４１，４２の揺動動作に伴って可動体４３，４４をがたつきのない状態でスムーズに開閉動作させることができる。しかも、これら保持アーム５６，５７を中空構造にして図示せぬワイヤーハーネスを挿通し、このワイヤーハーネスを介して可動体４３，４４や昇降体４５に収納された回路基板上のＬＥＤに電力を供給するようにしたので、保持アーム５６，５７に、両可動体４３，４４のがたつきを抑制するという機能だけでなく、ワイヤーハーネスの引き回しルートを確保するという機能を持たせることができる。
【００５６】
なお、上記実施形態例では、モータ３９，４０の出力軸に固着した歯車５０，５１と回転体４６，４７との間に中継ギア４８，４９を介設させることにより、モータ３９，４０を駆動源として両回転体４６，４７が互いに逆向きに回転する構成となっているが、中継ギア４８，４９の代わりに一対のスライド部材を使用し、これらスライド部材をベース部材３８に左右方向へ移動可能に支持すると共に、各スライド部材の上下両端面に設けたラックを歯車５０，５１と回転体４６，４７に噛合させるようにしても良い。
【００５７】
また、上記実施形態例では、第１の可動役物装置２６の構成部材であるベース部材３８や両可動体４３，４４等を可変表示装置２７の下方位置に配設し、ステージ２８の裏面側に隠された両可動体４３，４４や昇降体４５を上方へ移動して表示画面２７ａの前方へ露出させる場合について説明したが、これとは逆に、第１の可動役物装置２６を可変表示装置２７の上方位置に配設し、装飾枠２５の上壁部側に隠された両可動体４３，４４や昇降体４５が下方へ移動（落下）して表示画面２７ａの前方へ露出するようにしても良い。
【００５８】
また、上記実施形態例では、本発明による可動役物装置（第１の可動役物装置２６）をパチンコ機に適用した場合について説明したが、スロットマシン等の他の遊技機に適用することも可能である。
【符号の説明】
【００５９】
６  遊技盤
２３  遊技領域
２４  センター役物
２５  装飾枠
２６  第１の可動役物装置（可動役物装置）
２７  可変表示装置
２７ａ  表示画面
２８  ステージ
３８  ベース部材
３８ａ，３８ｂ  逃げ孔
３９，４０  モータ
４１，４２  同期アーム
４１ａ，４２ａ  扇形ギア
４１ｂ，４２ｂ  ガイドピン
４１ｃ，４２ｃ  長孔
４３，４４  可動体
４３ａ，４４ａ  カム孔
４３ｂ，４４ｂ  突起
４５  昇降体
４６，４７  回転体
４６ａ，４７ａ  駆動アーム
４６ｂ，４７ｂ  突起
４８，４９  中継ギア
４８ａ，４９ａ  検知アーム
５０，５１  歯車
５３，５４  トーションばね
５５  結合部
５６，５７  保持アーム
５８，５９  補助アーム
５８ａ，５９ａ  ギア
５８ｂ，５９ｂ  ガイド孔
６０，６１  フォトセンサ
【図１】
2014076206.tif 000003
【図２】
2014076206.tif 000004
【図３】
2014076206.tif 000005
【図４】
2014076206.tif 000006
【図５】
2014076206.tif 000007
【図６】
2014076206.tif 000008
【図７】
2014076206.tif 000009
【図８】
2014076206.tif 000010
【図９】
2014076206.tif 000011
【図１０】
2014076206.tif 000012
【図１１】
2014076206.tif 000013
【図１２】
2014076206.tif 000014
【図１３】
2014076206.tif 000015
【図１４】
2014076206.tif 000016
【図１５】
2014076206.tif 000017
【図１６】
2014076206.tif 000018
【図１７】
2014076206.tif 000019